(57)【特許請求の範囲】
【請求項１】
計量装置での計量値を通信線を介して遠隔検針する自動検針システムの伝送端末回路の電子回路基板が収容される筺体ケースを備えている自動検針端末器筐体において、上記筺体ケースは、その表面に取付部材により上記計量装置が重ねて取り付けられるように構成されており、かつ上記取付部材の取付部の周囲の空間部が、上記電子回路基板の収容部に対して隔壁により仕切られていることを特徴とする自動検針端末器筺体。
【請求項２】
取付部材の取付部の周囲の空間部が、筺体ケースの裏面側へ開口していることを特徴とする請求項１記載の自動検針端末器筺体。
【請求項３】
下面が開放されており、計量装置での計量値を通信線を介して遠隔検針する自動検針システムの伝送端末回路の電子回路基板が収納される筺体ケースと、
この筺体ケースの下面を閉鎖するように上記筺体ケースに取り付けられ、かつ上記筺体ケースの表面内側に対向する延長壁が設けられており、上記電子回路基板を保持するとともに、入出力端子が設けられる基板固定台と、
上記筺体ケースの表面内側と上記延長壁との間に挿入されるカバー舌部を有しており、上記筺体ケースに取り付けられて上記入出力端子を覆う端子カバーと
を備え、
上記カバー舌部の筐体ケース側の面には、凹溝が設けられていることを特徴とする自動検針端末器筐体。
【請求項４】
筺体ケースの表面内側に当接する庇壁が延長壁に設けられていることを特徴とする請求項３記載の自動検針端末器筺体。
【請求項５】
カバー舌部の凹溝は、設置姿勢において両端へ向けて下降するように傾斜していることを特徴とする請求項３記載の自動検針端末器筐体。
【発明の詳細な説明】
【０００１】
【発明の属する技術分野】
この発明は、電気、ガス、水道等の自動検針システムにおける電力量計等の計量装置が計数した計量値を電話線等の通信線を利用して遠隔検針する自動検針用端末器の筐体構造に関するものである。
【０００２】
【従来の技術】
図７は例えば実開昭６０−１９４８７６号公報に示された従来の自動検針端末器を一部切り欠いて示す斜視図である。図において、自動検針端末器筐体１は、筐体ケース２、端子カバー３及び基板固定台４の３ブロックから構成されている。筐体ケース２の内部には、電子回路基板５が基板固定台４に固定されて収容されている。電子回路基板５には、電子部品６が実装されており、自動検針システムの伝送端末回路が構成されている。また、電子回路基板５には、電力量計等の計量装置（図示せず）と接続される電源及び通信線等の接続リード線７が接続されている。
【０００３】
また、自動検針端末器筐体１が屋外の建物側壁や軒下等に設置されることを考慮して、筐体ケース２は電子回路基板５の部品実装部５ａと端子部５ｂとを区分する構造にして、接続リード線７を外部から容易に引き込み接続できるようにしている。端子部５ｂ上には端子カバー３が設けられ、充電部の遮蔽を行っているとともに筐体内部への雨水の浸入を防いでいる。
【０００４】
【発明が解決しようとする課題】
上記のように構成された従来の自動検針端末器においては、電子回路基板５の端子部５ｂを外部から保護するために端子カバー３が設けられているが、筐体ケース２と端子カバー３との係合部から浸入した雨水が、電子回路基板５に達し易いという問題点があった。また、これを防ぐには、筐体ケース２と端子カバー３との接合部にゴムパッキン等を使用して水密構造にすることが必要であり、コストが高くなるという問題点があった。さらに、自動検針端末器筐体１と検針対象の電力量計とが建物側壁に並んで設置されるので、壁面が狭い場合には設置に制約が生じていた。
【０００５】
この発明は、上記のような問題点を解決することを課題としてなされたものであり、電子回路基板の収容部への雨水の浸入を容易に防止することができ、また設置の場所的な制約を緩和することができる自動検針端末器筺体を得ることを目的とする。
【０００６】
【課題を解決するための手段】
請求項１の発明に係る自動検針端末器筺体は、筺体ケースが、その表面に取付部材により計量装置が重ねて取り付けられるように構成されており、かつ取付部材の取付部の周囲の空間部が、電子回路基板の収容部に対して隔壁により仕切られているものである。
【０００７】
請求項２の発明に係る自動検針端末器筺体は、取付部材の取付部の周囲の空間部が、筺体ケースの裏面側へ開口しているものである。
【０００８】
請求項３の発明に係る自動検針端末器筺体は、下面が開放されており、計量装置での計量値を通信線を介して遠隔検針する自動検針システムの伝送端末回路の電子回路基板が収納される筺体ケースと、この筺体ケースの下面を閉鎖するように筺体ケースに取り付けられ、かつ筺体ケースの表面内側に対向する延長壁が設けられており、電子回路基板を保持するとともに、入出力端子が設けられる基板固定台と、筺体ケースの表面内側と延長壁との間に挿入されるカバー舌部を有しており、筺体ケースに取り付けられて入出力端子を覆う端子カバーとを備え、カバー舌部の筐体ケース側の面には、凹溝が設けられているものである。
【０００９】
請求項４の発明に係る自動検針端末器筺体は、筺体ケースの表面内側に当接する庇壁が延長壁に設けられているものである。
【００１１】
また、カバー舌部の凹溝を、設置姿勢において両端へ向けて下降するように傾斜させたものである。
【００１２】
【発明の実施の形態】
以下、この発明の実施の形態を図について説明する。
実施の形態１．
図１はこの発明の実施の形態１による自動検針端末器の断面図であり、図７と同一又は相当部分には同一符号を付し、その説明を省略する。
【００１３】
図において、電子回路基板５を収容する自動検針端末器筺体１１は、筺体ケース１２、端子カバー１３及び基板固定台１４の３ブロックから構成され、建屋側壁３０に掛け金１６を介してねじ止めされている。検針対象の計量装置である電力量計１０は、取付部材としてのねじ１５により自動検針端末器筺体１１上に重ねて取り付けられている。筐体ケース１２のねじ１５の取付部１２ａには、ねじ１５が螺着されるねじ孔１２ｂが穿設されている。上記の掛け金１６も取付部１２ａにねじ止めされている。
【００１４】
取付部１２ａの周囲の空間部は、電子回路基板５の収容部に対して隔壁１２ｃにより仕切られているとともに、筺体ケース１２の裏面側へ開口している。従って、筐体ケース１２を裏面から見ると、図２に示すように、筐体ケース１２の上辺と隔壁１２ｃのＵ字形とで角溝が形成されており、その中央部に取付部１２ｂが突出している。また、隔壁１２ｃは、ねじ１５に応力が加わり取付部１２ｂ周辺の筐体ケース１２にひび割れが発生しても、そのひび割れが到達しない距離で取付部１２ｂの周囲を取り囲んでいる。
【００１５】
図３は図１の一部を拡大して示す断面図である。筺体ケース１２は、下面が開放されており、その下面を閉鎖するように基板固定台１４が筺体ケース１２に取り付けられている。また、基板固定台１４には、筺体ケース１２の表面内側に対向する延長壁１４ａが設けられている。さらに、延長壁１４ａの先端部には、筺体ケース１２の表面内側に当接する庇壁１４ｂが凸曲して形成されている。端子カバー１３には、筺体ケース１２の表面内側と延長壁１４ａとの間に挿入されるカバー舌部１３ａが、一部に段部を設けて延長して形成されている。基板固定台１４には、接続リード線７が接続された入出力端子１７が設けられている。
【００１６】
上記のような自動検針端末器においては、自動検針端末器筐体１１上に電力量計１０を重ねて取り付けることができるため、建屋側壁３０上での設置スペースが小さくなり、設置の場所的な制約を緩和することができる。また、これに伴い、筺体ケース１２の一部に設けられた取付部１２ａにねじ１５を螺着する必要があり、このねじ１５には電力量計１０の重量が集中して加わることになる。しかし、取付部１２ａの周囲に隔壁１２ｃを設けたので、取付部１２ａの強度が補強される。
【００１７】
しかも、長年の応力や突設されている電力量計１０に不意に加わる外力により、取付部１２ａの近傍にひび割れが発生した場合には、このひび割れに雨水が浸入したとしても、隔壁１２ｃにより遮られて、雨水が電子回路基板５に達することがない。また、ひび割れから浸入した雨水は、筐体ケース１２の裏面の開放部分から流出して取付部１２ａの周囲に溜まることもない。図４は図１の筺体ケースの取付部の近傍にひび割れが発生した状態を示す断面図である。ひび割れＢが発生したとき、そのひび割れＢから浸入してくる雨水は、矢印Ａのように、電子回路基板５の収容部に浸入せず、背部から排水される。
【００１８】
さらに、上記のように筐体ケース１２の表面裏側に端子カバー１３のカバー舌部１３ａが挿入されているため、端子カバー１３と筺体ケース１２との間の継ぎ目からの雨水の浸入経路が長くなり、雨水の浸入が防止される。
【００１９】
加えて、筐体ケース１２の表面裏側に基板固定台１４の一部である庇壁１４ｂを当接させることで、筐体ケース１２の開放端側の表面からの押圧力に対して筐体ケース１２の強度を補強することができる。従って、押圧力によって筐体ケース１２とカバー舌部１３ａとの重なり部分の隙間が大きくなるのが防止され、雨水の浸入が一層抑制される。
【００２０】
実施の形態２．
図５はこの発明の実施の形態２による自動検針端末器の一部を示す断面図である。図において、カバー舌部１３ａの筐体ケース１２側の面には、建屋側壁３０への設置姿勢で水平方向へ延びる凹溝１３ｂが設けられている。また、端子カバー１３を筺体ケース１２に取り付けたときに、カバー舌部１３ａの上辺１３ｃと庇壁１４ｂとの間に空隙２０が存在するように構成されている。
【００２１】
この例では、筐体ケース１２とカバー舌部１３ａとの間を毛細管現象で雨水が浸入してきたとしても、その雨水は毛細管現象の発生しにくい広さの凹溝１３ｂや空隙２０で止められ、筺体ケース１２の電子回路基板５の収容部内への雨水の浸入が抑制される。なお、凹溝１３ｂは複数設けてもよい。
【００２２】
実施の形態３．
図６はこの発明の実施の形態３による自動検針端末器筐体の端子カバーを示す斜視図である。この例では、凹溝１３ｂ及びカバー舌部１３ａの上辺１３ｃを、それぞれ設置姿勢において両端へ向けて下降するように傾斜させている。
【００２３】
このため、筐体ケース１２とカバー舌部１３ａとの間を毛細管現象で浸入してきて空隙２０及び凹溝１３ｂに留まる雨水は、下降傾斜を伝わって矢印Ｄのように流出する。従って、空隙２０及び凹溝１３ｂに充満した雨水が筐体ケース１２内へ浸入することが抑制される。
【００２４】
なお、上記各実施の形態では計量装置として電力量計１０を示したが、計量装置はこれに限定されるものではない。
【図面の簡単な説明】
【図１】  この発明の実施の形態１による自動検針端末器の断面図である。
【図２】  図１の自動検針端末器の背面を示す概略の斜視図である。
【図３】  図１の一部を拡大して示す断面図である。
【図４】  図１の筺体ケースの取付部の近傍にひび割れが発生した状態を示す断面図である。
【図５】  この発明の実施の形態２による自動検針端末器の一部を示す断面図である。
【図６】  この発明の実施の形態３による自動検針端末器筐体の端子カバーを示す斜視図である。
【図７】  従来の自動検針端末器の一例を示す一部切欠斜視図である。
【符号の説明】
５  電子回路基板、１０  電力量計（計量装置）、１１  自動検針端末器筺体、１２  筺体ケース、１２ａ  取付部、１２ｂ  ねじ孔、１２ｃ  隔壁、１３  端子カバー、１３ａ  カバー舌部、１３ｂ  凹溝、１４  基板固定台、１４ａ  延長壁、１４ｂ  庇壁、１５  ねじ（取付部材）、１７  入出力端子、２０  空隙。
【図１】
0003726142.tif 000002
【図２】
0003726142.tif 000003
【図３】
0003726142.tif 000004
【図４】
0003726142.tif 000005
【図５】
0003726142.tif 000006
【図６】
0003726142.tif 000007
【図７】
0003726142.tif 000008